(57)【要約】【課題】飲料容器を収容可能な菰樽ユニットを提供する。【解決手段】本発明は、飲料容器の収容スペースを備え、飲料容器が挿通される開口が底部に設けられた樽本体と、樽本体の上面部及び側面部を覆う菰と、菰の外面に設けられる縦縄と、前記開口を閉じる蓋体と、を有する。そして、菰は、予め縦縄が取り付けられた状態で樽本体の上面部から底部に向かって開口した袋状に形成されており、樽本体は、蓋体の着脱を許容しつつ、底部に沿って折り返された菰の折返し部及び縦縄の端部を固定する固定手段を備える。樽本体に被せるだけで菰及び縦縄を容易に取り付けることができ、かつ蓋体の着脱を許容した状態で菰及び縦縄が樽本体に固定されるので、飲料容器を収容して蓋体で収容スペースを閉じることで簡単に菰樽を制作することができる。【選択図】図１
2016098019.tif 000002
【特許請求の範囲】
【請求項１】
飲料容器の収容スペースを備え、前記飲料容器が挿通される開口が底部に設けられた樽本体と、
前記樽本体の上面部及び側面部を覆う菰と、
前記菰の外面に設けられる縦縄と、
前記開口を閉じる蓋体と、を有し、
前記菰は、予め前記縦縄が取り付けられた状態で前記樽本体の前記上面部から前記底部に向かって開口した袋状に形成されており、
前記樽本体は、前記蓋体の着脱を許容しつつ、前記底部に沿って折り返された前記菰の折返し部及び前記縦縄の端部を固定する固定手段を備えることを特徴とする菰樽ユニット。
【請求項２】
前記固定手段は、前記縦縄の端部を前記樽本体に係止させるための係止部を備え、
前記縦縄は、前記上面部から前記底部に向かって延びる途中の前記菰の端部領域において前記菰の外面から前記袋状の内面に挿通し、前記内面側に位置する前記縦縄の端部が、前記係止部に係止されることを特徴とする請求項１に記載の菰樽ユニット。
【請求項３】
前記固定手段は、前記折返し部を挟み込んで固定する挟持部をさらに備え、
前記挟持部は、前記開口周囲に設けられ、前記樽本体の底部の一部が内側に凹んだ凹部と、前記蓋体に設けられる前記凹部に係合する凸部とで構成され、前記凹部と前記凸部の係合面に前記折返し部が挟まれることで前記菰が固定されるとともに、
前記凹部の一部に、前記係止部が設けられていることを特徴とする請求項２に記載の菰樽ユニット。
【請求項４】
前記縦縄の端部は、前記菰の外側に位置する縄本体の径よりも太く形成されており、
前記係止部は、前記縦縄の端部を挿通させるための第１挿通部と、前記第１挿通部の一部が前記底部に沿って折り返される前記縦縄の配設方向に向かって延び、前記縄本体が挿通可能な第２挿通部と、を備え、
前記第１挿通部から挿通された前記縦縄の端部が、前記第２挿通部によって係止されることを特徴とする請求項２又は３に記載の菰樽ユニット。
【請求項５】
前記固定手段は、前記折返し部及び前記縦縄の端部を挟み込んで固定する挟持部を備え、
前記挟持部は、前記開口周囲に設けられ、前記樽本体の底部の一部が内側に凹んだ凹部と、前記蓋体に設けられる前記凹部に係合する凸部とで構成され、前記凹部と前記凸部の係合面に前記折返し部及び前記縦縄の端部が挟まれることで前記菰及び前記縦縄が固定されることを特徴とする請求項１に記載の菰樽ユニット。
【発明の詳細な説明】
【技術分野】
【０００１】
本発明は、飲料容器を収容する菰樽ユニットに関する。
【背景技術】
【０００２】
神社参拝や各種慶祝行事などにおいて、清酒は、樽に詰められて提供されている。このような樽としては、樽を菰で包み、縄をかけて菰を固定する菰樽が知られている（例えば、特許文献１の図５参照）。
【先行技術文献】
【特許文献】
【０００３】
【特許文献１】実開平６−１２３３７号公報
【発明の概要】
【発明が解決しようとする課題】
【０００４】
樽を菰で包む菰巻き作業は、熟練された技術が必要であるため、作業効率が悪い問題がある。これは、特許文献１のように、樽内部に、内容物が充填される容器が収容された菰樽でも同様である。特許文献１の菰樽は、外装体を菰と縄で包装した後に、外枠体の底面側に引き込まれた縄を針金で固定できるようにしているが、内容物が充填された容器を外装体に収容した後、従来と同様に外装体に対して菰巻き作業が必要になる。
【０００５】
一方で、内容物を充填する前の空の容器を樽内部に収容して予め菰巻き作業を施した菰樽がある。この場合、例えば、お酒などを販売する酒蔵は、容器の注ぎ口から内容物を充填して菰樽を制作することができるものの、容器に内容物を充填する作業は、容器へのビン詰作業とは異なり、菰樽から露出する容器の注ぎ口から内容物を充填しなければならないため、手作業で行う必要があり、また、注ぎ口のシール（封止）にも注意を払わなければならないため、菰樽を手軽に提供することができない課題がある。
【０００６】
そこで、本発明は、飲料容器を収容する樽に菰及び縦縄に容易に取り付けることができ、かつ菰及び縦縄が取り付けられた状態で、飲料容器を容易に組み込んで菰樽を制作することができる菰樽ユニットを提供することを目的とする。
【課題を解決するための手段】
【０００７】
本発明の菰樽ユニットは、飲料容器の収容スペースを備え、飲料容器が挿通される開口が底部に設けられた樽本体と、樽本体の上面部及び側面部を覆う菰と、菰の外面に設けられる縦縄と、開口を閉じる蓋体と、を有する。菰は、予め縦縄が取り付けられた状態で樽本体の上面部から底部に向かって開口した袋状に形成されており、樽本体は、蓋体の着脱を許容しつつ、底部に沿って折り返された菰の折返し部及び縦縄の端部を固定する固定手段を備える。
【０００８】
本発明によれば、菰が、予め縦縄が取り付けられた状態で樽本体の上部から底部に向かって開口した袋状に形成されているので、樽本体に被せるだけで菰及び縦縄を容易に取り付けることができ、かつ蓋体の着脱を許容した状態で底部に沿って折り返された菰の折返し部及び縦縄の端部が樽本体に固定されるので、飲料容器を収容して蓋体で収容スペースを閉じることで簡単に菰樽を制作することができる。
【０００９】
また、上記固定手段は、縦縄の端部を樽本体に係止させるための係止部を備えるように構成することができる。このとき、縦縄は、樽本体の上面部から底部に向かって延びる途中の菰の端部領域において菰の外面から袋状の内面に挿通され、内面側に位置する縦縄の端部を係止部に係止するように構成することができる。このように構成することで、縦縄の端部を係止部に係止させるだけで、樽本体に菰及び縦縄を取り付けることができ、作業性が向上する。
【００１０】
また、固定手段は、折返し部を挟み込んで固定する挟持部をさらに備えることができ、挟持部は、開口周囲に設けられ、樽本体の底部の一部が内側に凹んだ凹部と、蓋体に設けられる凹部に係合する凸部とで構成することができる。そして、凹部と凸部の係合面に折返し部が挟まれることで樽本体に菰を固定し、凹部の一部に、係止部を設けるように構成することができる。収容スペースに飲料容器を収容した後に開口を蓋体で閉じるだけで菰を樽本体に密着させて固定することができる。また、凹部の一部に係止部が設けられることで、縦縄と菰とで個別の固定手段を設ける必要がなく、固定構造を簡素化することができる。
【００１１】
縦縄の端部は、菰の外側に位置する縄本体の径よりも太く形成することができる。このとき、係止部は、縦縄の端部を挿通させるための第１挿通部と、第１挿通部の一部が底部に沿って折り返される縦縄の配設方向に向かって延び、縄本体が挿通可能な第２挿通部と、を備えるように構成することができ、第１挿通部から挿通された縦縄の端部が、第２挿通部によって係止される。第１挿通部から縦縄の端部を挿通させるだけで、縦縄を樽本体に容易に取り付けることができる。
【００１２】
また、固定手段は、折返し部及び縦縄の端部を挟み込んで固定する挟持部を備えるように構成することができる。挟持部は、開口周囲に設けられ、樽本体の底部の一部が内側に凹んだ凹部と、蓋体に設けられる凹部に係合する凸部とで構成され、凹部と凸部の係合面に折返し部及び縦縄の端部が挟まれることで菰及び縦縄を固定するための固定手段として機能する。収容スペースに飲料容器を収容した後に、開口を閉じるだけで、樽本体に菰及び縦縄を固定することができ、内容物が充填される飲料容器を収容した菰樽を容易に制作することができる。
【図面の簡単な説明】
【００１３】
【図１】本実施例の菰樽ユニットの分解斜視図である。
【図２】本実施例の樽本体の断面図である。
【図３】本実施例の樽本体の底面図である。
【図４】本実施例の蓋体の断面図である。
【図５】本実施例の縦縄が係止部に係止された状態を示す側面図である。
【図６】本実施例の縦縄が係止部に係止された状態を模式的に示す上面図である。
【図７】本実施例の菰樽ユニットを示す図である。
【発明を実施するための形態】
【００１４】
本発明の実施例について図１乃至図７を参照して説明する。
【００１５】
図１は、本実施例の菰樽ユニット１の分解斜視図であり、図２は、菰樽ユニット１を構成する樽本体３の断面図である。図１に示すように、菰樽ユニット１は、菰２と、樽本体３と、蓋体４と、を含んで構成されている。菰樽ユニット１は、樽本体３の内部に、飲料容器６が収容される収容スペースＳが設けられ（図２参照）、菰２で覆われることで、菰樽として構成される。なお、図１の例において飲料容器６は、点線で示している。図２及び図７においても同様である。
【００１６】
樽本体３は、飲料容器６の収容スペースＳを備えた樽本体である。樽本体３は、筒状に形成されており、上面部３ａ、上面部３ａの周縁からＺ方向下方に延びる側面部３ｂ及び側面部３ｂのＺ方向端部から内側に延設される底部３ｃを備える。上面部３ａ及び側面部３ｂによって囲まれる領域によって、飲料容器６が収容される収容スペースＳが形成される。
【００１７】
樽本体３の側面部３ｂには、飲料容器６の注ぎ口６ａが挿入される開口１３が形成されている。ここで、飲料容器６は、例えば、ガラス製の瓶や陶器製の容器、樹脂製の容器、紙パック等で構成され、お酒以外の内容物（例えば、ジュースなど）も充填することができる。飲料容器６に充填される内容物は、任意であり、また、飲料容器６の形状は、開口１３に注ぎ口６ａが挿通された状態で、収容スペースＳに飲料容器６の全体が収容可能の形状であればよい。
【００１８】
なお、開口１３は、側面部３ｂのＺ方向端部からＺ方向に延びる切り欠き部として構成することもできる。すなわち、図２の例において、一旦、注ぎ口６ａを収容スペースＳ内部に挿入して開口１３に対して内部から注ぎ口６ａを外部に露出させるように収容することができるが、注ぎ口６ａを切り欠き部にＺ方向に挿通させるようにして、収容スペースＳ内に飲料容器６を収容するように構成することもできる。
【００１９】
蓋体４は、収容スペースＳの開口を閉じる蓋部材である。樽本体３は、底部３ｃに収容スペースＳの開口部１４が形成されており、開口部１４は、収容スペースＳと連通し、飲料容器６を挿通させる挿通開口部として機能する。図３は、樽本体３の底面図であり、略中央部位に、開口部１４が設けられている。底部３ｃに設けられる開口部１４の周囲外側の領域に、後述する、蓋体４の着脱を許容しつつ底部３ｃに沿って折り返された菰２の折返し部及び縦縄５０の端部を固定するための固定手段が設けられる。
【００２０】
また、蓋体４は、図１に示すように、菰樽ユニット１の底部を構成する。図４は、蓋体４のＸ−Ｚ平面の断面図である。図４に示すように、蓋体４は、開口部１４を閉塞する閉塞部２０と、閉塞部２０の周縁に設けられ、上方に向かって突出する凸部２１と、閉塞部２０の下方に延びる脚部２３とで構成されている。
【００２１】
蓋体４の凸部２１は、樽本体３に設けられる蓋体４を固定するため凹部１６と係合する接続部である。凸部２１は、閉塞部２０の周縁からＺ方向上方に延びる凸部内側面２１ａと、凸部外側面２１ｂと、凸部頂面２１ｃとを有するように構成され、凸部内側面２１ａには、凹部１６と係合する係合溝２２が設けられている。凹部１６は、図２に示すように、開口部１４の周囲外側の底部３ｃに設けられ、樽本体３の内側に向かって凹んだ形状となっている。
【００２２】
係合溝２２は、例えば、凹部１６と螺合するねじ溝で構成することができ、Ｚ方向上方に凹んだ凹部１６は、Ｚ方向下方に延び、開口部１４に隣接する凹部内側面１６ａと、凹部内側面１６ａよりも外側に形成される凹部外側面１６ｂと、凹部内側面１６ａと凹部外側面１６ｂとの間の凹部頂面１６ｃとを含んで構成されており、凹部内側面１６ａに、凸部内側面２１ａの係合溝２２と係合する突起部１９が設けられている。
【００２３】
凸部内側面２１ａが凹部内側面１６ａに対応し、凸部外側面２１ｂが凹部外側面１６ｂに対応し、凸部頂面２１ｃは、凹部頂面１６ｃと対応している。凹部内側面１６ａの内側に開口部１４が形成されており、蓋体４の凸部２１と樽本体３の凹部１６とが、Ｚ方向において互いに係合することで、蓋体４が樽本体３の底部３ｃに取り付けられる。
【００２４】
次に、本実施例の菰２及び縦縄５０について説明する。菰２は、蓋体４によって閉じられる収容スペースＳの開口部１４と対向する樽本体３の上面部３ａから開口部１４が設けられる樽本体３の底部３ｃに向かって延び、開口部１４以外の樽本体３の周囲を覆う部材である。菰２は、例えば、樽本体３を保護する保護部材や装飾等の装飾部材である。菰２の外面には、縦縄５０が設けられている。
【００２５】
本実施例では、縦縄５０は、菰２に予め取り付けられており、菰２が、予め縦縄５０が取り付けられた状態で樽本体３の上面部３ａから底部３ｃに向かって開口した袋状に形成されている。具体的には、菰２は、その内部に樽本体３を収容する空間が形成される有底筒状の部材であり、その下端に樽本体３が挿入される開口５１を有している。
【００２６】
菰２は、樽本体３の上面部３ａに対応する上面部２ａと、樽本体３の側面部３ｂに対応する側面部２ｂを有する。側面部２ｂには、収容スペースＳ内に飲料容器６が収容されたときに、樽本体３の開口１３から外側に露出（突出）する注ぎ口６ａを閉塞しないように、上面部２ａからＺ方向下端まで延びる切り込み７が設けられている。切り込み７が設けられることで、樽本体３の周囲が菰２によって覆われつつ、切り込み７から飲料容器６の注ぎ口６ａを菰２から露出させるようにすることができる。
【００２７】
縦縄５０は、菰２の上面部２ａから側面部２ｂに沿って、菰２の外面に延びる縄部材であり、図１に示すように、切り込み７を挟む２つの縦縄５０ａと、各縦縄５０ａに隣り合う２つの縦縄５０ｂとによって構成されている。また、縦縄５０は、上面部２ａ側において結び目５０ｃが位置しており、各縦縄５０ａ，５０ｂが結び目５０ｃから四方に延設されている。なお、本実施例では、４つの縦縄５０が結び目５０ｃから四方に延びている態様を一例に示しているが、結び目５０から延びる縦縄５０の本数や配置間隔は、任意である。
【００２８】
なお、縦縄５０は、菰２の外面において菰２の上面部２ａから側面部２ｂを経て樽本体３の底部３ｃに向かって延びる途中の菰２のＺ方向下方の端部領域において、菰２の外面から袋状の内面に挿通するように構成されている。このため、菰２のＺ方向下方の端部領域において、側面部２ｂには、挿通孔２ｃが設けられている。挿通孔２ｃは、図５に示すように、底部３ｃに向かって折り返される領域に設けることができ、菰２及び縦縄５０が樽本体３に設けられた状態で、挿通部２ｃが菰２の側面部２ｂにおいて見えない位置となるように、言い換えれば、樽本体３に菰２が捲かれた状態で縦縄５０が側部面２ｂの内側に挿通されずに、側面部２ｂのＺ方向上下において縦縄５０が見えるように構成することができる。
【００２９】
また、結び目５０ｃとは逆側の縦縄５０の端部には、縦縄５０の縄の径よりも太く形成された固定部８を設けることができる。本実施例では、固定部８が、挿通孔２ｃを介して菰２の内側に位置しており、後述する係止部１５に、菰２の外側に位置する縦縄５０の径よりも太く形成された縦縄５０の端部を形成する固定部８が係止される。
【００３０】
そして、本実施例の樽本体３は、蓋体４の着脱を許容しつつ、底部３ｃに沿って折り返された菰２の折返し部及び縦縄５０の端部を固定する固定手段として、係止部１５を備えている。係止部１５は、底部３ｃに形成される凹部１６の一部に設けることができ、縦縄５０の端部（固定部８）を樽本体３に係止させる。
【００３１】
上述のように、本実施例の菰２は、袋状に形成されており、予め縦縄５０が取り付けられている。このため、樽本体３に対して上面部３ａから袋状の菰２を覆いかぶせ、菰２及び縦縄５０のＺ方向端部（開口５１付近）の端部を底部３ｃに向かって折り返すだけで、菰２及び縦縄５０を取り付けることができる。
【００３２】
そして、菰２の外側に位置する縦縄５０が、挿通孔２ｃを介して菰２の外面から袋状の内面に挿通しているので、底部３ｃに向かって折り返され、菰２の内側に位置する縦縄５０の端部（固定部８）を、係止部１５の引っかけることで、樽本体３に菰２及び縦縄５０を固定することができる。つまり、菰２の内側に位置する縦縄５０の端部を係止部１５に係止することで、菰２の上面部２ａ及び側面部２ｂが縦縄５０と樽本体３との間で保持され、縦縄５０によって当該菰２の外側から樽本体３に固定されることになる。
【００３３】
図５は、縦縄５０が係止部１５に係止された状態を示す図である。図５に示すように、凹部１６の一部である凹部外側面１６ｂに係止部１５が形成されている。係止部１５は、図３の例に示すように、例えば、底部３ｃに向かって折り返される各縦縄５０に応じて複数の係止部１５ａ，１５ｂを設けることができる。係止部１５ａは、各縦縄５０ａを係止し、係止部１５ｂは、縦縄５０ｂを係止する。
【００３４】
また、係止部１５は、縦縄５０の固定部８を挿通させるための第一穴部１７（第１挿通部に相当する）と、第一穴部１７の一部が底部３ｃに沿って折り返される縦縄５０の配設方向に向かって延び、縦縄５０の固定部８よりも径が細い縄本体が挿通可能な第二穴部１８（第２挿通部に相当する）と、を備えるように構成される。図５の例において、例えば、第一穴部１７から挿通された縦縄５０の固定部８が、第二穴部１８によって係止され、縦縄５０が樽本体３から外れないように、取り付けることができる。
【００３５】
図６は、縦縄５０が係止部１５によって係止された状態を模式的に示す上面図である。図６に示すように、まず、樽本体３の底部３ｃに向かって折り返された菰２の折返し部及び縦縄５０の端部において、菰２の内側に位置する縦縄５０の固定部８を第一穴部１７に挿通させる。そして、固定部８を第一穴部１７に挿通させた状態（固定部８が第一穴部１７の収容スペースＳ内側に位置している状態）から、縦縄５０の縄本体を第二穴部１８に挿通させるように手前に（固定部８が第二穴部１８の収容スペースＳ内側の内面に当接するように）移動させる。第二穴部１８は、第一穴部１７よりも小さく、固定部８よりも細い縦縄５０の縄本体が挿通される大きさに形成されている。このため、縦縄５０の縄本体が第二穴部１８に挿通している状態では、固定部８の移動が阻止され、縦縄５０が係止部１５に係止されることになる。
【００３６】
また、本実施例の菰２及び縦縄５０は、底部３ｃに沿って折り返された菰２の折返し部及び縦縄５０の端部を固定する固定手段として、挟持部をさらに備えている。挟持部としては、例えば、収容スペースＳの開口部１４の周囲に設けられ、樽本体３の底部３ｃの一部が内側に凹んだ凹部１６と、蓋体４に設けられ、凹部１６に係合する蓋体４の凸部２１とで構成することができる。そして、凹部１６と凸部２１との係合面、すなわち、凹部外側面１６ｂと凸部外側面２１ｂとで菰２が挟まれることで菰２が固定される。なお、上述したように、凹部１６の一部に、係止部１５が設けられている。
【００３７】
例えば、図５に示すように、菰２は、縦縄５０とともに樽本体３の側面部３ｂから底部３ｃに向かって折り返し、さらに、底部３ｃに位置する菰２を凹部１６内部に食い込ませるように、取り付ける。このとき、凹部１６に係止部１５が設けられているため、縦縄５０の固定部８を係止部１５に係止することで、菰２の端部を凹部１６に挿入することができる。
【００３８】
そして、菰２が凹部１６に挿入された状態で、蓋体４を樽本体３に連結する。樽本体３の凹部１６に凸部２１を挿入して凹部１６の突起部１９と凸部２１の係合溝２２を螺合させることで、蓋体４を樽本体３に連結することができる。係合溝２２を突起部１９に螺合させると、凸部２１が凹部１６に対してＺ方向上方に移動し、凹部１６に挿入される菰２が、凹部外側面１６ｂと凸部外側面２１ｂとの間に挟持されることになる。なお、凹部１６において菰２の端部が凹部頂面１６ｃに位置している場合、凸部頂面２１ｃとの間で、菰２が挟持される。
【００３９】
また、挟持される菰２は、凸部２１が凹部１６に係合し、凸部外側面２１ｂが凹部外側面１６ｂに近づくにつれて、樽本体３に沿って凹部頂面１６ｃ方向に引っ張られ、樽本体３と菰２とが密着し、隙間が生じないように樽本体３に菰２を取り付けることができる。つまり、縦縄５０が予め取り付けされた菰２を、樽本体３に密着させた状態で固定することができる。
【００４０】
また、本実施例では、凹部１６に係止部１５が設けられているため、係合溝２２が突起部１９に螺合すると、菰２同様に、縦縄５０も凹部外側面１６ｂと凸部外側面２１ｂとの間に挟持され、樽本体３に対して縦縄５０を固定することができると共に、縦縄５０を菰２に密着させた状態で固定することができる。
【００４１】
次に、本実施例の菰樽ユニット１の組立方法について説明する。なお、菰２の側面部２ｂには、例えば、所望する文字（例えば、名前、屋号、商標など）や図柄（例えば、絵柄、写真など）を単体でまたはこれらを組み合わせた表書きを設けることができる。表書きの配置は、特に限定されないが、側面部２ｂの縦縄５０ｂと隣り合う縦縄５０ｂとの間の領域に表書きを配置することができる。
【００４２】
例えば、図２に示した樽本体３の上下逆にした状態で、菰樽ユニット１の組み立て作業を行うことができる。まず、上面部３ａを下側にし、袋状の菰２の開口５１から菰２内部に樽本体３を入れるように、樽本体３に菰２を被せることができる。つまり、樽本体３の上面部３ａから、樽本体３の外面に、縦縄５０が予め取り付けられた袋状の菰２を覆いかぶせる。なお、樽本体３の開口１３に、菰２の切り込み７が位置するように、樽本体３に菰２を被せることで、樽本体３の収容スペースＳに飲料容器６を収容する際に、開口１３から樽本体３の側面部３ｂの外側に突出する注ぎ口６ａが切り込み７から露出するように構成することができる。
【００４３】
次に、底部３ｃに向かって菰２及び縦縄５０を折り返し、折り返される縦縄５０の端部を係止部１５に係止する。この状態で、菰２及び縦縄５０は、蓋体４の樽本体３に対する着脱を許容しつつ、樽本体３に対して固定される。そして、底部３ｃに形成された凹部１６に蓋体４の凸部２１を係合させるように、蓋体４を樽本体３に連結させることで、菰樽ユニット１を組み立てることができる。
【００４４】
そして、菰樽ユニット１に内容物が充填された飲料容器６を収容するときは、樽本体３に連結されている蓋体４を、樽本体３から取り外し、収容スペースＳを開口させる。このとき、縦縄５０が樽本体３の係止部１５によって係止されているため、縦縄５０が外れることなく、かつ菰２が縦縄５０によって樽本体３との間で保持されている。したがって、樽本体３と蓋体４との連結を解除しても、菰２及び縦縄５０が、樽本体３から外れることがなく、蓋体４の着脱が許容されつつ、菰２及び縦縄５０が樽本体３に固定されている。
【００４５】
蓋体４を樽本体３から取り外した後、内容物が充填された飲料容器６を開口部１４を介して収容スペースＳに収容する。このとき、飲料容器６の注ぎ口６ａを開口１３に挿通させつつ、飲料容器６を収容スペースＳに収容する。また、注ぎ口６ａは、切り込み７から菰２の外側に露出することができる。収容スペースＳ内に飲料容器６を収容した後、蓋体４を樽本体３に連結することで、菰樽を制作することができる。
【００４６】
なお、飲料容器６が収容されていない状態の菰樽ユニット１に対し、蓋体４を取り外して飲料容器６を収容し、菰樽を制作する態様について説明したが、これに限るものではない。例えば、上述した菰樽ユニット１の組み立て工程において、飲料容器６を収容してから蓋体４で収容スペースＳを閉じることで、菰樽を制作することができる。
【００４７】
上述したように、従来の菰樽は、専門の工場などにおいて作成され、酒蔵などに納入されているため、清酒を充填する作業は、酒蔵において行われている。しかしながら、従来の菰樽は、菰樽から瓶を取り出すことが出来ないため、酒蔵は、菰樽から突出する瓶の注ぎ口６ａから清酒を充填しなければならず、作業効率が悪かった。
【００４８】
これに対して、本実施例の菰樽ユニット１では、菰２及び縦縄５０が樽本体３に保持され、蓋体４を取り外して飲料容器６を開口部１４を介して樽本体３の収容スペースＳに対して出し入れできるため、酒蔵は、飲料容器６に清酒を充填した後、飲料容器６を樽本体３に収容し、蓋体４を樽本体３に連結するだけで、容易に菰樽を制作することができる。
【００４９】
つまり、本実施例の菰樽ユニット１は、菰２が、予め縦縄５０が取り付けられた状態で開口した袋状に形成されているので、樽本体３に被せるだけで菰２及び縦縄５０を容易に取り付けることができ、かつ蓋体４の着脱を許容した状態で樽本体３の底部３ｃに沿って折り返された菰２の折返し部及び縦縄５０の端部が樽本体３に固定されるので、予め内容物が充填された飲料容器６を収容して蓋体４で収容スペースＳを閉じることで簡単に菰樽を制作することができる。
【００５０】
また、上述したように、従来の菰樽は、菰樽から瓶を取り出すことが出来ないため、酒蔵は、菰樽から突出する瓶の注ぎ口６ａから清酒を充填しなければならず、作業効率が悪かった。一方、本実施例の菰樽ユニット１では、飲料容器６を樽本体３の収容スペースＳに対して出し入れできる。そのため、飲料容器６として、自動充填機により内容物を充填可能な飲料容器６を用いた場合、内容物の充填作業を自動充填機によって行うことができ、さらに作業効率が向上する。
【００５１】
また、縦縄５０の端部（固定部８）を樽本体３に係止させるための係止部１５を備えており、縦縄５０は、樽本体３の上面部３ａから底部３ｃに向かって延びる途中の菰２の端部領域において菰２の外面から袋状の内面に挿通され、内面側に位置する縦縄５０の端部を係止部に係止するように構成されている。このため、縦縄５０の端部を係止部１５に係止させるだけで、樽本体３に菰２及び縦縄５０を取り付けることができ、作業性が向上する。
【００５２】
また、樽本体３の凹部１６及び蓋体４の凸部２１によって構成される、樽本体３の底部３ｃに沿って折り返された菰２を挟み込んで固定する挟持部を備えているため、凹部１６と凸部２１の係合面に菰２が挟まれることで樽本体に菰２を固定することができ、収容スペースＳに飲料容器６を収容した後に開口部１４を蓋体４で閉じるだけで菰２を樽本体３に密着させて固定することができる。また、凹部１６の一部に、係止部１５を設けているので、縦縄５０と菰２とで個別の固定構造とすることなく、簡素化することができる。
【００５３】
なお、本実施例の菰樽ユニット１の固定手段としては、係止部１５を備えずに、上述の凹部１６及び凸部２１で構成される、底部３ｃに沿って折り返された菰２の折返し部及び縦縄５０の端部を挟み込んで固定する挟持部のみを備えるように構成することもできる。つまり、収容スペースＳに飲料容器６を収容した後に、蓋体４で収容スペースＳの開口部１４を閉じるとき、菰２及び縦縄５０が樽本体３に固定されていないものの、底部３ｃに向かって折り返された菰２の折返し部及び縦縄５０の端部を挟持部で固定しながら蓋体４を樽本体３に連結することで、飲料容器６を収容した菰樽を容易に制作することができる。
【符号の説明】
【００５４】
１        菰樽ユニット
２        菰
３        樽本体
４        蓋体
６        飲料容器（瓶、ペットボトル、紙パック等の飲料容器）
７        切り込み
８        固定部
１３      開口
１４      開口部
１５（１５ａ，１５ｂ）      係止部
１６      凹部
１６ａ    凹部内側面
１６ｂ    凹部外側面
１６ｃ    凹部頂面
１７      第一穴部
１８      第二穴部
１９      突起部
２０      閉塞部
２１      凸部
２１ａ    凸部内側面
２１ｂ    凸部外側面
２１ｃ    凸部頂面
２２      係合溝
２３      脚部
５０（５０ａ，５０ｂ）      縦縄
【図１】
2016098019.tif 000003
【図２】
2016098019.tif 000004
【図３】
2016098019.tif 000005
【図４】
2016098019.tif 000006
【図５】
2016098019.tif 000007
【図６】
2016098019.tif 000008
【図７】
2016098019.tif 000009